(57)【要約】【課題】シングルレバー式混合水栓の操作性を向上させ、正確な温度及び流量の調節を図る。【解決手段】本体に開口した弁室に、湯水の温度及び流量を調節するための混合部材が固定され、該混合部材はレバーと連繋し、該レバーの操作で湯水の温度及び流量が調節されるシングルレバー式混合水栓において、前記混合部材とレバーとは、レバーの左右水平方向の操作で湯水の温度が調節され、レバーの前後への操作で湯水の流量が調節されるように連繋した。【選択図】  図１
2004353726.tif 000002
【特許請求の範囲】
【請求項１】
本体に開口した弁室に、湯水の温度及び流量を調節するための混合部材が固定され、該混合部材はレバーを連繋し、該レバーの操作で湯水の温度及び流量が調節されるシングルレバー式混合水栓において、前記混合部材とレバーとは、レバーの左右水平方向の操作で湯水の温度が調節され、レバーの前後への操作で湯水の流量が調節されるように連繋したことを特徴とするシングルレバー式混合水栓。
【請求項２】
前記レバーは混合部材に対し前側に引くと湯水が吐水し、後側に押すと止水であることを特徴とする請求項１記載のシングルレバー式混合水栓。
【請求項３】
前記レバーは混合部材に対し水平方向に取り付けられたことを特徴とする請求項１または請求項２の何れかに記載のシングルレバー式混合水栓。
【発明の詳細な説明】
【０００１】
【発明の属する技術分野】
本発明は、湯水の温度及び流量を単一のレバーで調節することのできるシングルレバー式混合水栓に関するものである。
【０００２】
【従来の技術】
従来、単一のレバーを操作することで湯水の温度と流量の調節を行なうことのできるシングルレバー式混合水栓として公知のものに、特許文献１のものがある。この従来技術について図１０により簡単に説明すると、水栓本体４０は、内部に固定板４２と可動板４３とが水密的に配設された混合部材４１が固定され、可動板４３の上面側にスライダー４４が嵌合し、該スライダー４４の上面に形成された係合凹部４５に、レバーガイド４６の下端部に形成された突部４７が係合している。レバーガイド４６の上端に連繋したレバー４８は、軸４９を支点として上下方向に回動可能とされ、レバー４８が下に降ろされた状態では止水状態であり、この状態からレバー４８が上方に持ち上げられると可動板４３が固定板４２上を移動して吐出管５０から湯水が吐水し、レバー４８を左右に回動させると可動板４３が固定板４２上を移動して、湯水の温度が調節されるものである。
【０００３】
【特許文献１】
特開平９−１４５０２号公報
【０００４】
【発明が解決しようとする課題】
このようなシングルレバー式混合水栓は、単一のレバーを操作することで湯水の温度と流量とを調節するものであるが、流量調節はレバーの上下方向への操作で行なうため、湯水の吐水時に温度調節を行なう場合のレバーの位置は、斜め上方に突き立った状態であり、この状態からレバーを左右方向のみへ操作しようとしても、左右だけでなく上下のどちらかにも移動してしまい、希望する温度及び流量の湯水に調節するのは難しいものであった。
【０００５】
この発明は、このような従来の技術に存在する問題点に着目してなされたものであり、その目的は、シングルレバー式混合水栓の操作性を向上させ、正確な温度及び流量の調節を図ることである。
【０００６】
【課題を解決するための手段】
上記の目的を達成するために、請求項１に記載の発明は、本体に開口した弁室に湯水の温度及び流量を調節するための混合部材が固定され、該混合部材はレバーを連繋し、該レバーの操作で湯水の温度及び流量が調節されるシングルレバー式混合水栓において、前記混合部材とレバーとは、レバーの左右水平方向の操作で湯水の温度が調節され、レバーの前後への操作で湯水の流量が調節されるように連繋したことを特徴とするものである。
【０００７】
従って、この請求項１に記載の発明によれば、吐水状態から温度の調節を行なう場合に、レバーが上下の何れかに移動してしまうことがなく、希望する温度及び流量の湯水の吐水を確実に行なうことができる。
【０００８】
請求項２に記載の発明は、請求項１に記載の発明において、前記レバーは混合部材に対し前側に引くと湯水が吐水し、後側に押すと止水であることを特徴とするものである。
【０００９】
従って、この請求項２に記載の発明によれば、止水時にレバーは本体から前方に大きく突き出さないようにすることで、レバーに物品や手が不用意に当たらないようにすることができ、安全性を向上させることができる。
【００１０】
請求項３に記載の発明は、請求項１または請求項２に記載の発明において、前記レバーは混合部材に対し水平方向に取り付けられたことを特徴とするものである。
【００１１】
従って、この請求項３に記載の発明によれば、レバーを最も使用しやすい水平方向からのみの操作で、温度及び流量の調節が可能となる。
【００１２】
【発明の実施の形態】
以下、本発明の実施の形態を図に基づいて詳細に説明する。
この実施例は図１乃至図３に示すように、混合水栓Ａの本体Ｂは中央上部に弁室１が開口しており、該弁室１には湯水の温度及び流量を調節するための混合部材Ｃが、該混合部材Ｃを覆う形状である円筒形の固定具Ｄを本体Ｂに螺合することで固定される。前記弁室１の下部には吐水室２が形成され、該吐水室２には吐出管３が水平方向に回動自在に連結されている。
【００１３】
前記混合部材Ｃは略円筒形で、下ケース４と上ケース５とを互いに嵌合させたものであり、この混合部材Ｃの内部には、底面から順に固定板６、可動板７、スライダー８及びレバーガイド９が収容されている。
【００１４】
前記固定板６はセラミックス又は樹脂の成型による円盤型で、図４に示すように，摺接面１０の中心部には湯水が通過する吐出孔１１を両面に貫通させて設けると共に、該吐出孔１１の孔中心を軸心とする円周方向の同一円弧状に、給水孔１２及び給湯孔１３をそれぞれ同様に貫通させて設けており、その給水孔１２は給水源に連通している給水管１４に、給湯孔１３は給湯源に連通している給湯管１５に、吐出孔１１は前記吐水室２にそれぞれ連通するように対応させてある。
【００１５】
別に設けた同じくセラミックス又は樹脂で成型された円盤型の可動板７は、前記固定板６と比較してやや外径が小さく形成され、固定板６の摺接面１０に向かい合う摺接面１０ａには流路１６が上下に貫通して形成され、該流路１６は固定板６の給水孔１２又は給湯孔１３のどちらか一方或いは両方と連通して、水、湯を固定板６の吐出孔１１へ供給させるようにしている。
【００１６】
前記可動板７の流路１６には上部からパッキン１７を介して円盤形のスライダー８が水密的に嵌合され、該スライダー８の上面には、軸心より前後方向に偏心させた位置に、上部を開口した軸受部１８が形成されている。
【００１７】
前記レバーガイド９は縦長の棒状に形成され、スライダー８の軸受部１８に上部から嵌合されるものであり、縦方向の中央よりやや下部に挿通孔１９を水平方向に開口し、該挿通孔１９に対し第１ピン２０が挿通され、該第１ピン２０を支点として前後揺動自在に連繋し、挿通孔１９の下部に形成された突部２１が、前記スライダー８の軸受部１８に係合している。
【００１８】
図５に示すように、前記レバーガイド９の上部には縦方向に長孔２２が穿設されている。レバーガイド９に結合されるレバー２３は棒状で、軸部２４と、該軸部２４の先端で軸部２４より大径に形成された摘み２５とを備えている。軸部２４は止水時に固定具Ｄの内部で混合部材Ｃと水平方向に収容されるものであり、固定具Ｄの側部に水平方向に穿設された一対の横孔２６の内周面を前後に摺動自在で、略中間部に係合孔２７が穿設されており、レバー２３とレバーガイド９とは、互いの係合孔２７と長孔２２とに第２ピン２８を挿通することで結合している。
【００１９】
前記摘み２５は、湯水が吐水されない止水時は固定具Ｄの前部に、固定具Ｄと隣り合うように露出し、吐水時は固定具Ｄから前側に引き出すことができる。従って、可動板７とレバーガイド９を介して連繋したレバー２３の、左右水平方向又は前後への操作によって、可動板７が固定板６上を左右回転方向または前後方向に摺動することで、吐出管３から吐水される湯水の温度及び流量が調節される。
【００２０】
前記混合部材Ｃは本体Ｂの弁室１に収容され、混合部材Ｃを覆う円筒形の固定具Ｄを本体Ｂに上部から螺合することで、弁室１で下方向に押圧され、移動不能に固定されている。固定具Ｄの上部に開口した開口部２９には蓋板３０が装着され、該蓋板３０の上部には、蓋板３０及び固定具Ｄの上部周面を覆うことのできるカバー３１が、ビス３２により固定されている。
【００２１】
今、図１に示す混合水栓Ａは、湯と水は止水された状態で、その固定板６と可動板７の位置関係は図６に示すように、固定板６の給水孔１２及び給湯孔１３が可動板７の摺接面１０ａによって閉塞されている。この場合、レバー２３は摘み２５のみが固定具Ｄから正面前側に露出している。従って、レバー２３の軸部２４は固定具Ｄの内部に隠れて、摘み２５のみが僅かに固定具Ｄの前側に露出し、物品や手が不用意にレバーに当たることがない。
【００２２】
この状態からレバー２３の摘み２５を固定具Ｄから前側に向けて引き出すと、レバー２３と連繋した可動板７が、図１の位置から図２の位置へ移動する。この時、固定板６と可動板７との位置関係は図７に示すように、可動板７の流路１６が固定板６の給水孔１２及び給湯孔１３の双方の一部を開口連通して、水と湯の同量を供給し、この給水孔１２及び給湯孔１３から供給される湯水は、流路１６と連通する吐出孔１１を経て吐出管３から外部へ吐水される。
【００２３】
次にこの状態からレバー２３を右水平方向へ回転操作すると、固定板６と可動板７との位置関係は図８に示すように、可動板７の流路１６は固定板６の給水孔１２のみと連通し、給湯孔１３は摺接面１０ａによって閉塞され、水が吐出管３から吐水される。
【００２４】
次にレバー２３を左水平方向へ回転操作することによって、固定板６と可動板７との位置関係は図９に示すように、可動板７の流路１６は固定板６の給湯孔１３のみと連通し、給水孔１２は摺接面１０ａによって閉塞され、湯が吐出管３から吐水される。
【００２５】
次に湯水の流量を少なくするには、レバー２３の摘み２５を固定具Ｄに向けて後側に押せばよく、吐出管３からの湯水の供給が停止される。
【００２６】
以上本発明の実施例を説明したが、これはあくまで一例示であり、例えば混合水栓は流し台や洗面台のカウンターに取り付けられるものでもよい。また、レバーは混合部材に対し前側に引くと湯水が吐水され、後側に押すと止水となるものでもよい。
【００２７】
本発明では、シングルレバー式混合水栓において、レバーの左右水平方向の操作で湯水の温度が調節され、レバーの前後への操作で湯水の流量が調節される。従って、湯水の流量調節は、例えば固定具から僅かに突き出ているレバーの押し操作又は引き操作により行なうので、吐水状態から温度の調節を行なう場合に、レバーが上下に移動してしまうことがなく、希望する温度及び流量の湯水の吐出を確実に行なうことができる。
【００２８】
また、レバーは混合部材に対し前側に引くと湯水が吐水し、後側に押すと止水とすれば、止水時にレバーが前方に大きく突き出しておらず、邪魔にならない。
【００２９】
さらにレバーは混合部材に対し水平方向に取り付けられているので、最も使用しやすい水平方向からのみの温度及び流量の操作が可能となる。
【００３０】
【発明の効果】
本発明は請求項１のシングルレバー式混合水栓は、湯水の流量調節は、例えば固定具から僅かに突き出ているレバーの押し操作又は引き操作により行なうので、吐水状態から温度の調節を行なう場合に、レバーが上下に移動してしまうことがなく、希望する温度及び流量の湯水の吐出を確実に行なうことができる。
【００３１】
また、請求項２によると、止水時にレバーは前方に大きく突き出していないため、レバーに物品や手が当たることがなく、安全性を向上させることができる。
【００３２】
さらに、請求項３によると、レバーは混合部材に対し水平方向に取り付けられているので、最も使用しやすい水平方向からのみの温度及び流量の操作が可能となる。
【図面の簡単な説明】
【図１】本発明のシングルレバー式混合水栓の一部破断した側面図で、止水状態である。
【図２】本発明のシングルレバー式混合水栓の一部破断した側面図で、湯水全開吐水状態である。
【図３】本発明のシングルレバー式混合水栓の正面図である。
【図４】固定板及び可動板の斜視図である。
【図５】レバーガイドとレバーとが結合した状態の説明図である。
【図６】固定板と可動板の対応位置関係を示す説明図で、湯水止水時である。
【図７】固定板と可動板の対応位置関係を示す説明図で、湯水全開吐水時である。
【図８】固定板と可動板の対応位置関係を示す説明図で、水のみ全開時である。
【図９】固定板と可動板の対応位置関係を示す説明図で、湯のみ全開時である。
【図１０】従来技術の説明図である。
【符号の説明】
１                弁室
２３              レバー
Ａ                混合水栓
Ｂ                本体
Ｃ                混合部材
【図１】
2004353726.tif 000003
【図２】
2004353726.tif 000004
【図３】
2004353726.tif 000005
【図４】
2004353726.tif 000006
【図５】
2004353726.tif 000007
【図６】
2004353726.tif 000008
【図７】
2004353726.tif 000009
【図８】
2004353726.tif 000010
【図９】
2004353726.tif 000011
【図１０】
2004353726.tif 000012